【手続補正書】
【提出日】平成20年4月9日(2008.4.9)
【手続補正１】
【補正対象書類名】明細書
【補正対象項目名】特許請求の範囲
【補正方法】変更
【補正の内容】
【特許請求の範囲】
【請求項１】  成分Ａ）：
一般式：
Ｒf−［ＣＦ2ＣＨ2−Ｏ−Ｌ−Ｐ（Ｏ）（ＯＺ1）（ＯＺ2）］l    （Ｉ）
［式中、ｌ＝１または２であり；
Ｌは、（ＣＨＲ1ＣＨＲ2Ｏ）n型の２価の結合基［ここで、Ｒ1、Ｒ2は同一または互いに異なり、Ｈ、ＣＨ3から選択され、ｎは１〜５０の範囲の整数である］であり；
Ｚ1は、Ｚ2と同一または異なり、Ｈ、アルカリもしくはアンモニウムカチオン、ジ−もしくはトリ−アルカノールアンモニウムカチオン［ここで、アルカノールは１〜２０のＣ原子からなる］、ジ−もしくはトリ−もしくはテトラ−アルキルアンモニウムカチオン［ここで、アルキルは１〜２０のＣ原子からなる］またはＲf−ＣＦ2ＣＨ2−Ｏ−Ｌ−から選択され、
Ｒfは、約４００〜約１，８００の範囲の数平均分子量
【化１】
2002020222.tif 000001
を有する（ペル）フルオロポリエーテル鎖であり；
該（ペル）フルオロポリエーテル鎖は以下：
ａ）−（Ｃ3Ｆ6Ｏ）−；
ｂ）−（ＣＦ2ＣＦ2Ｏ）−：
ｃ）−（ＣＦＬ0Ｏ）−［式中、Ｌ0＝−Ｆ、−ＣＦ3］；
ｄ）−ＣＦ2（ＣＦ2）Z'ＣＦ2Ｏ−［式中、Ｚ’は１または２の整数である］；
ｅ）−ＣＨ2ＣＦ2ＣＦ2Ｏ−
の１またはそれ以上から選択される繰り返し単位からなる］
の（ペル）フルオロポリエーテルリン酸塩：
を含む、水を含有する外用製剤における保存剤。
【請求項２】  一般式（Ｉ）の（ペル）フルオロポリエーテルリン酸塩において、Ｒfが一官能価の場合（ｌ＝１）、ペルフルオロアルキルタイプの末端基が、ＣＦ3Ｏ、Ｃ2Ｆ5ＯまたはＣ3Ｆ7Ｏであり；該末端基中の一つのフッ素原子が、一つの塩素または水素原子と置き換えられることができ、該末端基はＣｌ（Ｃ3Ｆ6Ｏ）、Ｈ（Ｃ3Ｆ6Ｏ）である、請求項１に記載の保存剤。
【請求項３】  Ｒfが、（ペル）フルオロポリエーテル型であり、かつ以下の構造：
１）−（ＣＦ2Ｏ）a−（ＣＦ2ＣＦ2Ｏ）b−
［式中、ｂ／ａは０．３〜１０を意味し、両端を含み、ａは０とは異なる整数である］、
２）−（ＣＦ2−（ＣＦ2）z'−ＣＦ2Ｏ）b'−
［式中、ｚ’は１または２に等しい整数である］、
３）−（Ｃ3Ｆ6Ｏ）r−（Ｃ2Ｆ4Ｏ）b−（ＣＦＬ0Ｏ）t−
［式中、ｒ／ｂ＝０．５〜２．０、（ｒ＋ｂ）／ｔ＝１０〜３０、ｂおよびｔは０とは異なる整数である］、
４）−（ＯＣ3Ｆ6）r−（ＣＦＬ0Ｏ）t−ＯＣＦ2−Ｒ’f−ＣＦ2Ｏ−（Ｃ3Ｆ6Ｏ）r−（ＣＦＬ0Ｏ）t−
５）−（ＣＦ2ＣＦ2ＣＨ2Ｏ）q'−Ｒ’f−Ｏ−（ＣＨ2ＣＦ2ＣＦ2Ｏ）q'−
［式中、Ｒ’fは炭素数１〜４のフルオロアルキレン基であり、Ｌ0はＦ、ＣＦ3から選択される］、
６）−（Ｃ3Ｆ6Ｏ）r−ＯＣＦ2−Ｒ’f−ＣＦ2Ｏ−（Ｃ3Ｆ6Ｏ）r−
［上記の式中、−（Ｃ3Ｆ6Ｏ）−は、式：−（ＣＦ（ＣＦ3）ＣＦ2Ｏ）−および／または−（ＣＦ2−ＣＦ（ＣＦ3）Ｏ）−の単位を表わし、
ａ、ｂ、ｂ’、ｑ’、ｒ、ｔは整数であり、それらの総和はＲfが約４００〜約１，８００の範囲の数平均分子量
【化２】
2002020222.tif 000002
の値を示すようなものである］
の一つを有する請求項１または２に記載の保存剤。
【請求項４】  （ペル）フルオロポリエーテル鎖Ｒfが、以下の構造：
−（ＣＦ2Ｏ）a−（ＣＦ2ＣＦ2Ｏ）b−；
−（Ｃ3Ｆ6Ｏ）r−（Ｃ2Ｆ4Ｏ）b−（ＣＦＬ0Ｏ）t−；
−（Ｃ3Ｆ6Ｏ）r−（ＣＦＬ0Ｏ）t−
［式中、Ｌ0および添え字ａ、ｂ、ｒ、ｔは、上記した値を有する］
から選択される請求項３に記載の保存剤。
【請求項５】  Ｒfが、−（ＣＦ2Ｏ）a−（ＣＦ2ＣＦ2Ｏ）b−であり、添え字ａおよびｂは上記した値を有する請求項３または４に記載の保存剤。
【請求項６】  式（Ｉ）の（ペル）フルオロポリエーテルにおいて、Ｌ＝（ＣＨ2−ＣＨ2Ｏ）n［ここで、ｎ＝１〜３］、Ｚ1はＺ2と同一または異なり、Ｈ、ＮＨ4またはアルカリ金属カチオンから選択され、ｌ＝２である請求項１〜５のいずれか一つに記載の保存剤。
【請求項７】  一般式（Ｉ）の（ペル）フルオロポリエーテルが、以下の式：
ＣＦ3−Ｏ（ＣＦ2ＣＦ（ＣＦ3）Ｏ）r（ＣＦ2Ｏ）a−ＣＦ2−ＣＨ2（ＯＣＨ2ＣＨ2）nＯ−ＰＯ（ＯＨ）2          （ＩＩ）
［式中、ｒ／ａ＝０．５〜２．０およびｎ＝１〜２］；
−ＣＦ2−Ｏ（ＣＦ2ＣＦ2Ｏ）b（ＣＦ2Ｏ）a−ＣＦ2−［ＣＨ2−（ＯＣＨ2ＣＨ2）nＯ−ＰＯ（ＯＨ）2］2          （ＩＩＩ）
［式中、ｂ／ａ＝０．５〜３．０およびｎ＝１〜２］
［上記式中、ａ、ｂおよびｒは上記した意味を有す］
を有する請求項３〜６のいずれか一つに記載の保存剤。
【請求項８】  製剤が、直鎖または分岐状の、可能であればアルコール、炭素数２から３のものおよびそれらのメチルエーテル；直鎖または分岐状の炭素数２から６のグリコール、または直鎖または分岐状のモノアルキルエーテル化物［ここで、アルキル基は、炭素数が１〜４の範囲である］；ジメトキシメタン、アセトンから選択される溶媒成分Ｂ）を含む請求項１〜７のいずれか一つに記載の保存剤
【請求項９】  溶媒が、エタノール、エチレングリコール、イソプロパノール、プロパノール、アセトン、メトキシエタノール、プロピレングリコール、プロパン−１，２−ジオール、ジメトキシメタン、メトキシ−イソプロパノール、ジエチレングリコール、ブタン−１，４−ジオール、ジエチレングリコールモノエチレンエーテル、ペンタン−１，２−ジオール、ジエチレングリコールモノエチルエーテル、ジプロピレングリコール、ジプロピレングリコールモノメチルエーテル、ジプロピレングリコールモノエチルエーテルから選択され；特に、エタノール、ペンタン−１，２−ジオールから選択される請求項８による使用。
【請求項１０】  外用組成物中の、式（Ｉ）の（ペル）フロオロポリエーテルリン酸塩成分Ａ）の重量パーセントが、０．０１〜１０％の範囲である請求項１〜９のいずれか一つに記載の保存剤。
【請求項１１】  溶媒成分Ｂ）の重量パーセントが、０．０１〜１０％の範囲である請求項８〜１０のいずれか一つに記載の保存剤。
【請求項１２】  外用製剤において、１：１の重量比の溶媒成分Ｂ）と式（Ｉ）の（ペル）フロオロポリエーテルリン酸塩成分Ａ）が使用される請求項８〜１１のいずれか一つに記載の保存剤。
【請求項１３】  成分Ａ）：
一般式：
Ｒf−［ＣＦ2ＣＨ2−Ｏ−Ｌ−Ｐ（Ｏ）（ＯＺ1）（ＯＺ2）］l    （Ｉ）
［式中、ｌ＝１または２であり；
Ｌは、（ＣＨＲ1ＣＨＲ2Ｏ）n型の２価の結合基［ここで、Ｒ1、Ｒ2は同一または互いに異なり、Ｈ、ＣＨ3から選択され、ｎは１〜５０の範囲の整数である］であり；
Ｚ1は、Ｚ2と同一または異なり、Ｈ、アルカリもしくはアンモニウムカチオン、ジ−もしくはトリ−アルカノールアンモニウムカチオン［ここで、アルカノールは１〜２０のＣ原子からなる］、ジ−もしくはトリ−もしくはテトラ−アルキルアンモニウムカチオン［ここで、アルキルは１〜２０のＣ原子からなる］またはＲf−ＣＦ2ＣＨ2−Ｏ−Ｌ−から選択され、
Ｒfは、約４００〜約１，８００の範囲の数平均分子量
【化４】
2002020222.tif 000003
を有する（ペル）フルオロポリエーテル鎖であり；
該（ペル）フルオロポリエーテル鎖は以下：
ａ）−（Ｃ3Ｆ6Ｏ）−；
ｂ）−（ＣＦ2ＣＦ2Ｏ）−：
ｃ）−（ＣＦＬ0Ｏ）−［式中、Ｌ0＝−Ｆ、−ＣＦ3］；
ｄ）−ＣＦ2（ＣＦ2）Z'ＣＦ2Ｏ−［式中、Ｚ’は１または２の整数である］；
ｅ）−ＣＨ2ＣＦ2ＣＦ2Ｏ−
の１またはそれ以上から選択される繰り返し単位からなる］
の（ペル）フルオロポリエーテルリン酸塩：
を保存剤として加えることを含む、細菌、酵母および真菌の混入から、水を含有する外用のための組成物を保存する方法。